(57)【要約】【課題】  ユーザに確実に着信を知らせることのできる携帯端末を提供する。【解決手段】  携帯電話機１では、着信があったときに、第１の筐体２のスピーカ孔２１が設けられた面（スピーカ面）が下を向いているか否かに応じて、着信音の出力される音量が調節される。具体的には、着信があったときにスピーカ面が下を向いている場合、それ以外の場合よりも、着信音の音量は、大きくなるように調節される。なお、スピーカ面が下を向いているか否かは、携帯電話機１に備えられた磁気センサの検出出力に基づいて判断される。【選択図】        図３
2006086963.tif 000002
【特許請求の範囲】
【請求項１】
無線通信回線を介して通信を行なう無線通信制御手段と、
音声を出力するスピーカと、
所定の面を介して前記スピーカの出力する音声を外部に出力させる筐体と、
前記筐体の前記所定の面の垂直方向の向きを検出する検出手段と、
前記無線通信制御手段が着信信号を受信した場合に、前記スピーカに音声を出力させる音声出力制御手段とを備え、
前記音声出力制御手段は、前記検出手段の検出出力に基づいて前記所定の面が下を向いているか否かを判断し、当該判断の結果に基づいて前記スピーカからの音声の出力態様を変更させる、携帯端末。
【請求項２】
前記検出手段は、前記無線通信制御手段が着信信号を受信している間は、所定時間ごとに、前記検出手段の検出出力に基づいて前記所定の面が下を向いているか否かを判断し、前記所定の面が下を向いていると判断した場合には、段階的に、前記スピーカから出力する音声の音量を上昇させる、請求項１に記載の携帯端末。
【請求項３】
前記検出手段は、垂直方向の磁気成分を検出する垂直方向磁気検出手段を含み、
前記音声出力制御手段は、前記検出手段の検出値に基づいて、前記所定の面が下を向いているか否かを判断する、請求項１または請求項２に記載の携帯端末。
【請求項４】
前記検出手段は、前記筐体が動いたか否かを検出する移動検出手段を含み、
前記音声出力制御手段は、前記所定の面が下を向いていると判断した場合であって、前記筐体が動かされたことによって前記所定の面が下を向いたと判断した場合には、さらに前記スピーカからの音声の出力態様を変更させる、請求項１〜請求項３のいずれかに記載の携帯端末。
【請求項５】
前記音声出力制御手段は、前記所定の面が下を向いていると判断した場合であって、前記筐体が動かされたことによって前記所定の面が下を向いたと判断した場合には、前記スピーカからの音声の出力態様を、音量が大きくなるように変更させる、請求項４に記載の携帯端末。
【請求項６】
前記移動検出手段は、前記筐体に対して所定の方向について加えられた加速度を検出する加速度検出手段であり、
前記音声出力制御手段は、前記加速度検出手段の加速度の検出値に基づいて、前記筐体が動いたか否かを判断する、請求項４または請求項５に記載の携帯端末。
【請求項７】
前記加速度検出手段は、複数の方向についての加速度を検出可能である、請求項６に記載の携帯端末。
【請求項８】
前記移動検出手段は、所定の方向の磁気成分を検出する所定の磁気検出手段と、前記所定の磁気検出手段の検出値を記憶する検出値記憶手段とを含み、
前記音声出力制御手段は、前記無線通信制御手段が着信信号を受信している間、或る時点での前記所定の磁気検出手段の検出値と前記検出値記憶手段に記憶されたそれ以前の前記検出値とを比較し、当該比較結果に基づいて、前記筐体が動いたか否かを判断する、請求項４または請求項５に記載の携帯端末。
【発明の詳細な説明】
【技術分野】
【０００１】
本発明は、携帯端末に関し、特に、通信機能を有し、かつ、音声を出力する面の向きに応じて着信時の音声の出力態様等を調節可能な携帯端末に関する。
【背景技術】
【０００２】
従来から、携帯端末において、自動的に音量を調節する技術が開示されている。
【０００３】
たとえば、特許文献１では、携帯端末が、特に胸ポケットやバッグ等に入れられた状態で携帯されているときに、最適なリンガー音を発生させるために、携帯端末自体の姿勢を検出し、当該姿勢に基づいて着信音量を制御する技術が開示されている。
【０００４】
また、特許文献２では、スピーカの周囲にタッチセンサを設け、当該タッチセンサが遮蔽物で塞がれている信号が入力された場合には、着信音が音圧を上げたパターンとされる技術が開示されている。
【特許文献１】特開２０００−１５２３２３号公報
【特許文献２】特開２００１−３０８９６２号公報
【発明の開示】
【発明が解決しようとする課題】
【０００５】
携帯端末において、スピーカが塞がれるときに着信があった場合、着信音の音量を大きくする等してユーザにより確実に着信を知らせることは、重要なことである。
【０００６】
しかしながら、特許文献２に記載の技術では、スピーカの周辺が塞がれているか否かに基づいて着信音についての制御がなされるのであって、スピーカの発生する着信音が出力されにくいか否かに基づいた制御とは言い難く、ユーザに確実に着信を知らせるためにはさらに考慮されることが求められていた。
【０００７】
本発明は、かかる実情に鑑み考え出されたものであり、その目的は、ユーザに確実に着信を知らせることのできる携帯端末を提供することである。
【課題を解決するための手段】
【０００８】
本発明に従った携帯端末は、無線通信回線を介して通信を行なう無線通信制御手段と、音声を出力するスピーカと、所定の面を介して前記スピーカの出力する音声を外部に出力させる筐体と、前記筐体の前記所定の面の垂直方向の向きを検出する検出手段と、前記無線通信制御手段が着信信号を受信した場合に、前記スピーカに音声を出力させる音声出力制御手段とを備え、前記音声出力制御手段は、前記検出手段の検出出力に基づいて前記所定の面が下を向いているか否かを判断し、当該判断の結果に基づいて前記スピーカからの音声の出力態様を変更させることを特徴とする。
【０００９】
また、本発明に従った携帯端末では、前記検出手段は、前記無線通信制御手段が着信信号を受信している間は、所定時間ごとに、前記検出手段の検出出力に基づいて前記所定の面が下を向いているか否かを判断し、前記所定の面が下を向いていると判断した場合には、段階的に、前記スピーカから出力する音声の音量を上昇させることが好ましい。
【００１０】
また、本発明に従った携帯端末では、前記検出手段は、垂直方向の磁気成分を検出する垂直方向磁気検出手段を含み、前記音声出力制御手段は、前記検出手段の検出値に基づいて、前記所定の面が下を向いているか否かを判断することが好ましい。
【００１１】
また、本発明に従った携帯端末では、前記検出手段は、前記筐体が動いたか否かを検出する移動検出手段を含み、前記音声出力制御手段は、前記所定の面が下を向いていると判断した場合であって、前記筐体が動かされたことによって前記所定の面が下を向いたと判断した場合には、さらに前記スピーカからの音声の出力態様を変更させることが好ましい。
【００１２】
また、本発明に従った携帯端末では、前記音声出力制御手段は、前記所定の面が下を向いていると判断した場合であって、前記筐体が動かされたことによって前記所定の面が下を向いたと判断した場合には、前記スピーカからの音声の出力態様を、音量が大きくなるように変更させることが好ましい。
【００１３】
また、本発明に従った携帯端末では、前記移動検出手段は、前記筐体に対して所定の方向について加えられた加速度を検出する加速度検出手段であり、前記音声出力制御手段は、前記加速度検出手段の加速度の検出値に基づいて、前記筐体が動いたか否かを判断することが好ましい。
【００１４】
また、本発明に従った携帯端末では、前記加速度検出手段は、複数の方向についての加速度を検出可能であることが好ましい。
【００１５】
また、本発明に従った携帯端末では、前記移動検出手段は、所定の方向の磁気成分を検出する所定の磁気検出手段と、前記所定の磁気検出手段の検出値を記憶する検出値記憶手段とを含み、前記音声出力制御手段は、前記無線通信制御手段が着信信号を受信している間、或る時点での前記所定の磁気検出手段の検出値と前記検出値記憶手段に記憶されたそれ以前の前記検出値とを比較し、当該比較結果に基づいて、前記筐体が動いたか否かを判断することが好ましい。
【発明の効果】
【００１６】
本発明によると、携帯端末では、着信音を出力するスピーカを内蔵する筐体が、当該スピーカの音声を出力する所定の面を下向きにされている場合、着信音の出力態様が、下向きにされている場合以外の場合とは異なるように制御される。
【００１７】
これにより、携帯端末では、筐体が、机上に置かれて所定の面を当該机に塞がれる場合等、スピーカの出力する着信音を外部に出力しにくい状態にある場合に、スピーカの着信音の出力態様を、それ以外の場合よりも音量を上げる等、それ以外の場合とは異ならせることにより、確実に、ユーザに着信を知らせることができる。
【発明を実施するための最良の形態】
【００１８】
以下、図面を参照しつつ、本発明に従った携帯端末について説明する。
【００１９】
［第１の実施の形態］
図１は、本発明の携帯端末の第１の実施の形態である携帯電話機の斜視図である。
【００２０】
携帯電話機１は、主に、第１の筐体２と第２の筐体４から構成される。
【００２１】
第１の筐体２には、突出部８が取付けられている。突出部８には、ヒンジ部３が、当該突出部８の左右両端と接続されるように、軸Ａ１を回転軸として回動可能に、取付けられている。ヒンジ部３には、第２の筐体４が、当該ヒンジ部３に対して軸Ａ２を回転軸として回動可能に、取付けられている。
【００２２】
第１の筐体２には、その主面に、ユーザが電話番号等の情報を入力するための機能ボタン群６および入力ボタン群９が設けられ、さらに、後述するマイク（マイク１１）に音声を入力するための第１のマイク孔１１Ａ、および、第２のマイク孔１１Ｂが設けられている。また、第１の筐体２の側面には、後述するカメラ（カメラ１８）のシャッタボタン１２が設けられている。
【００２３】
第２の筐体４には、その主面に、第１の表示部１４およびレシーバ孔１５が備えられている。
【００２４】
図２は、携帯電話機１の、図１に示される状態から、ヒンジ部３が軸Ａ１に沿って回動されることにより、折り畳まれて、第２の筐体４と第１の筐体２とが対向するようにされた状態を示す図である。また、図３は、携帯電話機１の、図２に示された状態の裏面を示す図である。
【００２５】
図２および図３に示されるように、携帯電話機１が折り畳まれた状態では、第１の筐体２と第２の筐体４とは、その主面同士が当接している。
【００２６】
そして、特に図３に示されるように、第１の筐体２の主面の裏面には、第２の表示部２０、後述するカメラ（カメラ１８）の撮影レンズ１８Ａ、当該カメラの撮影に利用されるフラッシュ１９、および、スピーカ孔２１が設けられている。
【００２７】
図４は、携帯電話機１の制御ブロック図である。
【００２８】
図４を参照して、携帯電話機１は、当該携帯電話機１の動作を全体的に制御する制御部１０、外部からの信号を受信するためのアンテナ３０、アンテナ３０によって受信した信号の処理等を行なう無線通信制御部３１、音声を出力するスピーカ２２、スピーカ２２から出力する音声の音量に関する設定情報を記憶する音量設定記憶部３２、携帯電話機１の向き等の状態に関する情報を記憶する現在状態記憶部３３、携帯電話機１の向き等の状態を検出するための５軸センサ５、携帯電話機１に音声を入力するためのマイク１１、画像を入力するためのカメラ１８、および、制御部１０の実行するプログラムや当該プログラムを実行するための種々のデータを記憶する主記憶部３４を、さらに備えている。
【００２９】
なお、携帯電話機１では、スピーカ２２は、アンテナ３０を介して受信した音声（電話における通話相手から送られる音声等）、および、主記憶部３４に記憶された音声データに基づいた音声（着信音等）を出力することができる。前者の音声は、主に、レシーバ孔１５を介して出力され、後者の音声は、主に、スピーカ孔２１を介して出力される。
【００３０】
図５に、５軸センサ５の詳細な構成を示す。
【００３１】
５軸センサ５は、磁気センサ５１と加速度センサ５２とを含む。磁気センサ５１は、第１の筐体２についての、Ｘ軸方向、Ｙ軸方向、および、Ｚ軸方向の磁気を検出できるセンサであり、それぞれの方向の磁気成分の検出結果を、ＭＸ、ＭＹ、ＭＺという検出値として出力する。加速度センサ５２は、第１の筐体２に対して与えられたＸ軸方向およびＹ軸方向についての加速度を検出できるセンサであり、それぞれの方向についての加速度の検出結果を、ＡＸ、ＡＹという検出値として出力する。図６に、第１の筐体２についてのＸ軸、Ｙ軸、および、Ｚ軸を示す。携帯電話機１では、５軸センサ５は、第１の筐体２内に内蔵されており、第１の筐体２の主面および当該主面の裏面に沿う面内に、Ｘ軸およびＹ軸が定義されており、当該主面およびその裏面に対して垂直な方向に、Ｚ軸が定義されている。
【００３２】
次に、現在状態記憶部３３の記憶内容を説明する。表１に、現在状態記憶部３３の記憶内容を示す。
【００３３】
【表１】
2006086963.tif 000003
【００３４】
表１から理解されるように、現在状態記憶部３３には、着信音（の種類）、着信音量、音量自動調節機能に関する設定、着信に関する種々の設定（着信設定）、および、５軸センサ５の各種の検出値（センサ検出値）についての情報が記憶されている。
【００３５】
表１中の着信音としては、主記憶部３４に記憶されている音声ファイルの中から着信音として選択された音声ファイルのファイル名が記憶されている。なお、ユーザは、機能ボタン群６および入力ボタン群９を適宜操作することにより、着信音の種類を変更できる。
【００３６】
表１中の着信音量としては、携帯電話機１において予め定められている音量レベル（レベル０〜４）のいずれかが記憶されている。なお、音量レベルについての情報は、音量設定記憶部３２において、表２に示すような情報として記憶されている。
【００３７】
【表２】
2006086963.tif 000004
【００３８】
表２には、携帯電話機１において設定される音量レベルと、各音量レベルに対応した音量値が示されている。携帯電話機１では、音量レベルとして、レベル０〜レベル４の５段階が設定されている。音量値は、音量の大きさを表す所定の単位で記載されている。音量レベル０に対応した音量値が「０」とされているのは、音声レベル０では音声が出力されないことを意味する。
【００３９】
再度表１を参照して、音量自動調節機能としては、ＯＮかＯＦＦのいずれかが設定されている。音量自動調節機能とは、後述するように、着信時に着信音が出力される音量を第１の筐体２の向きに応じて調節する機能である。
【００４０】
また、表１中の着信設定としては、「音声」と「ライト」の２種類の情報が記憶されている。
【００４１】
着信設定中の音声に関する情報としては、通常モードかマナーモードのいずれかが設定されている。通常モードとは、着信音量として設定されているレベルで着信音を出力させるモードであり、マナーモードとは、着信音量として設定されているレベルに関係なく着信音を出力させないモードである。なお、携帯電話機１にバイブレータ機能が搭載されている場合には、マナーモードにおいて、当該バイブレータ機能により第１の筐体２および／または第２の筐体４を振動させるか否かの選択が可能に構成されても良い。
【００４２】
着信設定中のライトに関する情報としては、ＯＮかＯＦＦのいずれかが設定されている。ＯＮとは、着信時に、第１の表示部１４または第２の表示部２０において着信がある旨を示す特別の表示を行なわせる設定であり、ＯＦＦとは、着信時でも、第１の表示部１４または第２の表示部２０に特別な表示を行なわないようにする設定である。なお、携帯電話機１には、図示を省略したが、携帯電話機１が折り畳まれている状態（図２および図３参照）であるか、折り畳まれていない状態（つまり、開かれている状態：図１参照）であるかを検出する手段が備えられている。そして、携帯電話機１では、ライトがＯＮに設定されている場合、携帯電話機１が折り畳まれている場合には、着信時に、第２の表示部２０において上記した特別な表示がなされ、開かれている場合には、着信時に、第１の表示部１４において上記した特別な表示がなされる。
【００４３】
表１中のセンサ検出値としては、図５を参照して説明されたように、磁気センサ５１および加速度センサ５２の検出値であるＭＸ、ＭＹ、ＭＺ、ＡＸ、および、ＡＹが記憶されている。なお、これらの検出値は、制御部１０によって、５軸センサ５から適宜読み出され、現在状態記憶部３３に適宜記憶される。
【００４４】
携帯電話機１では、制御部１０は、無線通信制御部３１がアンテナ３０から受信した信号をチェックする。そして、制御部１０は、無線通信制御部３１が着信信号を受信すると、スピーカ２２から着信音を出力させる。なお、携帯電話機１では、表１を参照して説明した音量自動調節機能が「ＯＮ」に設定されている場合、着信音の音量が、着信信号を受信している際の第１の筐体２の向きに応じて制御される。「第１の筐体２の向きに応じて」とは、具体的には、第１の筐体２のスピーカ孔２１が設けられている面（上記した「裏面」。以下、「スピーカ面」と呼ぶ）が下を向いているか否かに応じて、ということを意味する。なお、スピーカ面が下を向いているとは、磁気センサ５１のＺ軸方向（図６参照）についての検出値（ＭＺ）に基づいて決定される。図７に、ＭＺと第１の筐体２の状態との関係を示す。
【００４５】
図７（Ａ）は、ＭＺが１７５°であるときの第１の筐体２を示す図であり、図７（Ｂ）は、ＭＺが１８０°であるときの第１の筐体２を示す図であり、図７（Ｃ）は、ＭＺが１８５°であるときの第１の筐体２を示す図である。なお、図７（Ａ）〜図７（Ｃ）において、破線Ｌは、垂直方向を示し、直線Ａ３は、第１の筐体２のＺ軸方向を示し、また、図７（Ｂ）は、破線Ｌと直線Ａ３とが重なっている状態を示している。そして、本実施の形態では、上記したような「スピーカ面が下を向いている」状態とは、ＭＺが１７５°〜１８５°の状態を言う。
【００４６】
次に、携帯電話機１において着信信号が受信された際に制御部１０によって着信音の音量制御のために実行される着信音量調節処理について、当該処理のフローチャートである図８を参照しつつ、説明する。
【００４７】
無線通信制御部３１が着信信号を受信したと判断すると、制御部１０は、まずステップＳ１（以下、「ステップ」を省略する）で、表１を参照して説明した着信設定中の音声に関する設定が、マナーモードとされているか否かを判断し、マナーモードと設定されていると判断すればＳ７に、通常モードに設定されていると判断すればＳ２に、それぞれ処理を進める。
【００４８】
Ｓ２では、制御部１０は、表１を参照して説明した音量自動調節機能の設定がＯＮであるか否かを判断し、ＯＮであると判断すればＳ３に、ＯＦＦであると判断すればＳ７に、それぞれ処理を進める。
【００４９】
Ｓ３では、制御部１０は、５軸センサ５の検出値を読込み、そして、Ｓ４で、読み込んだ検出値に基づいて、第１の筐体２のスピーカ面が下を向いているか否かを判断する。なお、この判断は、具体的には、ＭＺの値が１７５°〜１８５°の範囲内であるか否かに基づいてなされる。そして、制御部１０は、スピーカ面が下向きであると判断すると（ＭＺの値が１７５°〜１８５°の範囲内であると）、Ｓ５に処理を進め、下向きではないと判断すると、Ｓ７に処理を進める。
【００５０】
Ｓ５では、制御部１０は、後述するＳ６またはＳ７で制御部１０において設定された着信音量のレベル（Ｓ５が初めて実行された場合には、表１中の着信音量）が、最大音量（レベル４）ではないかどうかを判断する。そして、制御部１０は、最大音量ではないと判断すればＳ６に、最大音量であると判断すればＳ８に、それぞれ処理を進める。
【００５１】
Ｓ６では、制御部１０は、一時的に、スピーカ２２から着信音を出力させる音量のレベルを、それまで着信音量として設定されているレベルよりも１つ上げるような設定を行ない、Ｓ８に処理を進める。
【００５２】
一方、Ｓ７では、制御部１０は、スピーカ２２から着信音を出力させる音量のレベルを、現在着信音量（表１参照）として設定されているレベルとするような設定を行ない、Ｓ８に処理を進める。
【００５３】
Ｓ８では、制御部１０は、Ｓ６またはＳ７で設定された着信音を出力される音量のレベルで、着信音をスピーカ２２から出力（鳴動）させて、Ｓ９に処理を進める。
【００５４】
次に、制御部１０は、Ｓ９で、無線通信制御部３１がまだ着信信号を受信しているか否かを判断し、まだ受信中であると判断すればＳ１に処理を戻す。一方、もう着信信号を受信していないと判断すれば、Ｓ１０で着信音の出力を停止し、処理を終了させる。
【００５５】
以上説明した本実施の形態の携帯電話機１では、着信があったときに、第１の筐体２のスピーカ面が下を向いているか否かに応じて、着信音が出力される音量が調節される。具体的には、着信があったときにスピーカ面が下を向いている場合、それ以外の場合よりも、着信音の音量は、大きくなるように調節される。これにより、スピーカ面が下を向いているような、着信音がユーザに聞こえ難い場合には、それ以外の場合よりも、自動的に、着信音がユーザの聞こえ易いように制御されることになる。
【００５６】
なお、Ｓ１〜Ｓ６およびＳ８の処理は、Ｓ９において着信信号の受信が継続していると判断された場合、ほぼ一定時間ごとに、繰り返し実行されることになる。そして、これらの処理が繰り返し実行されるたびに、Ｓ６で、着信音量のレベルが１つずつ段階的に上げられることになる。このように一定時間ごとに段階的に着信音量のレベルが上げられることにより、スピーカ面が下を向いている場合であっても、着信音が、不必要に大音量で出力される事態を効率良く回避できる。
【００５７】
また、本実施の形態では、スピーカ面が下を向いているか否かが、第１の筐体２についての垂直方向の磁気成分を検出する磁気センサによって判断される。これにより、スピーカ面の向きが、正確に判断される。
【００５８】
［第２の実施の形態］
本発明の第２の実施の形態である携帯電話機は、第１の実施の形態として説明した携帯電話機１と、ほぼ同様に構成することができる。したがって、ここでは、第１の実施の形態との変更点を中心に説明することとする。
【００５９】
本実施の形態の携帯電話機１では、第１の実施の形態の携帯電話機１と比較すると、現在状態記憶部３３の記憶内容が異なる。表３に、本実施の形態の現在状態記憶部３３の記憶内容を示す。
【００６０】
【表３】
2006086963.tif 000005
【００６１】
本実施の形態の現在状態記憶部３３には、第１の実施の形態の現在状態記憶部３３と比較して、さらに、動き時音量設定についての情報が記憶されている。
【００６２】
動き時音量設定とは、無線通信制御部３１が着信信号を受信している間に第１の筐体２が動かされたときに着信音量をどのように変更するかについての情報であり、ＵＰかＤＯＷＮのいずれかが設定されている。ユーザは、この設定内容を、機能ボタン群６および入力ボタン群９を適宜操作することにより変更できる。
【００６３】
次に、本実施の形態の携帯電話機１において着信信号が受信された際に制御部１０によって実行される着信音量調節処理について、当該処理のフローチャートである図９を参照しつつ、説明する。
【００６４】
無線通信制御部３１が着信信号を受信したと判断すると、制御部１０は、まずＳＡ１で、表３中の着信設定中の音声に関する設定が、マナーモードとされているか否かを判断し、マナーモードと設定されていると判断すればＳＡ９に、通常モードに設定されていると判断すればＳＡ２に、それぞれ処理を進める。
【００６５】
ＳＡ２では、制御部１０は、表３中の音量自動調節機能の設定がＯＮであるか否かを判断し、ＯＮであると判断すればＳＡ３に、ＯＦＦであると判断すればＳＡ９に、それぞれ処理を進める。
【００６６】
ＳＡ３では、制御部１０は、５軸センサ５の検出値を読込み、かつ、読み込んだ各検出値によって現在状態記憶部３３中のセンサ検出値の記憶内容を更新し、そして、ＳＡ４で、読み込んだ検出値に基づいて、第１の筐体２のスピーカ面が下を向いているか否かを判断する。なお、この判断は、具体的には、ＭＺの値が１７５°〜１８５°の範囲内であるか否かに基づいてなされる。そして、制御部１０は、スピーカ面が下向きであると判断すると（ＭＺの値が１７５°〜１８５°の範囲内であると）、ＳＡ５に処理を進め、下向きではないと判断すると、ＳＡ９に処理を進める。
【００６７】
ＳＡ５では、制御部１０は、第１の筐体２が動いたか否かを判断する。なお、ここでは、制御部１０は、現在状態記憶部３３に記憶されている加速度センサ５２のＡＸとＡＹの少なくとも一方が０以外の値であった場合に第１の筐体２が動いたと判断し、両方の値が０であった場合に第１の筐体２は動いていないと判断する。そして、制御部１０は、動いたと判断するとＳＡ６へ、動いていないと判断するとＳＡ７へ、それぞれ処理を進める。
【００６８】
ＳＡ６では、制御部１０は、現在状態記憶部３３において動き時音量設定の設定内容をチェックし、ＵＰであればＳＡ７へ、ＤＯＷＮであればＳＡ９へ、それぞれ処理を進める。
【００６９】
ＳＡ７では、後述するＳＡ８またはＳＡ９で制御部１０において設定された着信音量のレベル（ＳＡ７が初めて実行された場合には、表３中の着信音量）が、最大音量（レベル４）ではないかどうかを判断する。そして、制御部１０は、最大音量ではないと判断すればＳＡ８に、最大音量であると判断すればＳＡ１０に、それぞれ処理を進める。
【００７０】
ＳＡ８では、制御部１０は、一時的に、スピーカ２２から着信音を出力させる音量のレベルを、それまで着信音量として設定されていたレベルよりも１つ上げるような設定を行ない、ＳＡ１０に処理を進める。
【００７１】
一方、ＳＡ９では、制御部１０は、スピーカ２２から着信音を出力させる音量のレベルを、現在着信音量（表３参照）として設定されているレベルとするような設定を行ない、ＳＡ１０に処理を進める。
【００７２】
ＳＡ１０では、制御部１０は、ＳＡ８またはＳＡ９で設定された着信音を出力される音量のレベルで、着信音をスピーカ２２から出力（鳴動）させて、ＳＡ１１に処理を進める。
【００７３】
次に、制御部１０は、ＳＡ１１で、無線通信制御部３１がまだ着信信号を受信しているか否かを判断し、まだ受信中であると判断すればＳＡ１に処理を戻す。一方、もう着信信号を受信していないと判断すれば、ＳＡ１２で着信音の出力を停止し、処理を終了させる。
【００７４】
以上説明した本実施の形態の携帯電話機では、着信があったときに第１の筐体２のスピーカ面が下を向いている場合（ＳＡ４でＹＥＳ判断時）、それ以外の場合よりも、着信音の音量は、大きくなるように調節される。
【００７５】
なお、ＳＡ１〜ＳＡ１０の処理は、着信信号が受信されている間中継続される。つまり、着信音量が、上記のように大きくなるように調節された後も、また、現在状態記憶部３３の「着信音量」に記憶された通りのレベルに調節された後も、再度、スピーカ面が下を向いていると判断され（ＳＡ４でＹＥＳ判断時）、そして、第１の筐体２が動かされたことによってスピーカ面が下を向いたと判断された場合（ＳＡ５でＹＥＳ判断時）には、スピーカ２２からの音声の出力態様は、さらに変更される。これにより、ユーザに対して、確実に、着信を認識させるように、着信音量の調節が行なわれることになる。
【００７６】
また、第１の筐体２が動かされたことによってスピーカ面が下を向いたと判断された場合、実際にスピーカ２２から出力される着信音の音量レベルは、現在状態記憶部３３に動き時音量設定として記憶されている情報が、「ＵＰ」であればそれまで制御部１０において設定されているレベルよりも１段階上げられ、「ＤＯＷＮ」であれば現在状態記憶部３３に着信音量として記憶されているレベルとされる。つまり、動き時音量設定として記憶されている情報を「ＵＰ」とすることにより、特に、第１の筐体２が動かされたことによってスピーカ面が下を向いたと判断された場合に、確実に、ユーザに着信を知らせることができる。
【００７７】
なお、本実施の形態では、ＳＡ５において、第１の筐体２が動いたか否かが、加速度センサ５２のＡＸとＡＹの少なくとも一方が０以外の値であったか否かによって判断されているが、本発明に従った携帯端末は、このような判断態様に限定されない。たとえば、再度、磁気センサ５１の検出値ＭＸ、ＭＹ、ＭＺがチェックされ、そこでチェックされた各検出値が現在状態記憶部３３に記憶されているＭＸ、ＭＹ、ＭＺの対応する検出値と比較され、そして、これらの検出値の少なくとも１つが異なれば第１の筐体２が動いたと判断されても良い。
【００７８】
ただし、本実施の形態では、加速度センサ５２のＡＸとＡＹの双方の値が利用されることにより、つまり、複数の方向に関する加速度センサの検出値が利用されることにより、より確実に、第１の筐体２の動きを検出できると言える。
【００７９】
また、上記した第１および第２の実施の形態では、「着信音」として、携帯電話機における通話の着信時のものを説明しているが、本発明に従った携帯端末が着信音の制御を行なう対象はこれに限らず、携帯端末が電子メールの送受信の機能を有する場合、当該電子メールの着信時に出力される着信音に対しても、同様に、本発明は適用できる。
【００８０】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独でも実施可能であるし、可能な限り組合わされて実施することも可能である。
【図面の簡単な説明】
【００８１】
【図１】本発明の携帯端末の第１の実施の形態である携帯電話機の斜視図である。
【図２】図１の携帯電話機の、ヒンジ部が軸Ａ１に沿って回動されることにより、折り畳まれて、第２の筐体と第１の筐体とが対向するようにされた状態を示す図である。
【図３】図２の携帯電話機の裏面を示す図である。
【図４】図１の携帯電話機の制御ブロック図である。
【図５】図４の５軸センサの詳細な構成を示す図である。
【図６】図１の携帯電話機の第１の筐体についてのＸ軸、Ｙ軸、および、Ｚ軸を示す図である。
【図７】図１の携帯電話機における、磁気センサのＺ軸方向の検出値と第１の筐体の状態との関係を示す図である。
【図８】図１の携帯電話機において着信信号が受信された際に実行される着信音量調節処理のフローチャートである。
【図９】本発明の携帯端末の第２の実施の形態である携帯電話機において着信信号が受信された際に実行される着信音量調節処理のフローチャートである。
【符号の説明】
【００８２】
１  携帯電話機、２  第１の筐体、３  ヒンジ部、４  第２の筐体、５  ５軸センサ、６  機能ボタン群、８  突出部、９  入力ボタン群、１０  制御部、１１  マイク、１１Ａ  第１のマイク孔、１１Ｂ  第２のマイク孔、１２  シャッタボタン、１４  第１の表示部、１５  レシーバ孔、１８  カメラ、１９  フラッシュ、２０  第２の表示部、２１  スピーカ孔、２２  スピーカ、３０  アンテナ、３１  無線通信制御部、３２  音量設定記憶部、３３  現在状態記憶部、３４  主記憶部、５１  磁気センサ、５２  加速度センサ。
【図１】
2006086963.tif 000006
【図２】
2006086963.tif 000007
【図３】
2006086963.tif 000008
【図４】
2006086963.tif 000009
【図５】
2006086963.tif 000010
【図６】
2006086963.tif 000011
【図７】
2006086963.tif 000012
【図８】
2006086963.tif 000013
【図９】
2006086963.tif 000014